(57)【要約】【課題】  ＨＰ検出手段の動作不良により、移動刃キャリアがホームポジションで正確に停止し走行起動することに対する障害が発生することのない用紙切断装置を得る。【解決手段】  長手方向に真直状に形成したカッタ固定刃と、該カッタ固定刃に当接して回転しながら走行することにより用紙を切断するカッタ移動刃と、前記カッタ移動刃を保持しホームポジションと折り返し位置との間を往復走行する移動刃キャリアと、該移動刃キャリアを往復走行するように駆動する移動刃キャリア駆動装置と、該移動刃キャリア駆動装置を駆動する原動機であるキャリア駆動モータと、前記移動刃キャリアがホームポジションにあることを検知するためのＨＰ検出手段とを有する用紙切断装置において、前記ＨＰ検出手段がリードスイッチであり、前記移動刃キャリアがホームポジションに到達したときに前記リードスイッチの接点を閉じさせるための磁石を設ける。【選択図】        図１１
2006136949.tif 000002
【特許請求の範囲】
【請求項１】
長手方向に真直状に形成したカッタ固定刃と、該カッタ固定刃に当接して回転しながら走行することにより用紙を切断するカッタ移動刃と、前記カッタ移動刃を保持しホームポジションと折り返し位置との間を往復走行する移動刃キャリアと、該移動刃キャリアを往復走行するように駆動する移動刃キャリア駆動装置と、該移動刃キャリア駆動装置を駆動する原動機であるキャリア駆動モータと、前記移動刃キャリアがホームポジションにあることを検知するためのＨＰ検出手段とを有する用紙切断装置において、前記ＨＰ検出手段がリードスイッチであり、前記移動刃キャリアがホームポジションに到達したときに前記リードスイッチの接点を閉じさせるための磁石が前記移動刃キャリアに取り付けられていることを特徴とする用紙切断装置。
【発明の詳細な説明】
【技術分野】
【０００１】
本発明はプリンタ、発券機等の装置において、紙およびプラスチックフィルム等のシートを切断するための用紙切断装置の構造に関する。
【背景技術】
【０００２】
従来のこの種の用紙切断装置としては、移動刃キャリアのホームポジション近傍にマイクロスイッチを設け、前記移動刃キャリアが前記ホームポジションに到達したときに、前記移動刃キャリアの一部に形成されたスイッチ操作端が前記マイクロスイッチの作用端を押して、前記マイクロスイッチの接点を閉じさせるように構成されていた。
【０００３】
図１３は、従来例における用紙切断装置における正面図、図１４は、図１３に示すＥ部を拡大して示す詳細図である。
【０００４】
図１３、および図１４を用いて従来例である「特開２００３−８９０９２号公報」の構成について説明する。枠体１０２には図示せぬ蓋体およびカッタ固定刃１０４が取り付けられており、カッタ固定刃１０４は図示せぬ蓋体の上端部によって脱落しないように押さえられている。カッタ固定刃１０４の左端のホームポジションには移動刃キャリア１０５が待機しており、移動刃キャリア１０５には、連結長孔部１０５ａ、およびスイッチ操作部１０５ｂが形成されていると共にカッタ移動刃１０６が回転自在に取りつけられ、カッタ固定刃１０４に圧接された状態で待機している。また、カッタ移動刃１０６と同軸に用紙押さえローラ１０７が回転自在に取りつけられている。一方、枠体１０２にはマイクロスイッチであるＨＰ検出手段１１４が取り付けられており、ＨＰ検出手段１１４から突出している作用端１１４ａは、移動刃キャリア１０５に形成されているスイッチ操作部１０５ｂによって押されて、内部に接点の形で組み込まれているスイッチが閉じた状態になっている。ＨＰ検出手段１１４は、図示せぬ制御回路に接続されており、スイッチが閉じた状態にあることから、移動刃キャリア１０５がホームポジションにあることを検知している。
【０００５】
枠体１０２には第１プーリ１１０ａと、第２プーリ１１０ｂが互いに間隔をおいて回転自在に取り付けられており、第１プーリ１１０ａと第２プーリ１１０ｂとの間には無端ベルトの内側に歯が形成されたキャリア送りベルト１１２が緊張懸架されている。キャリア送りベルト１１２には、キャリア連結部材１１１が取り付けられ、移動刃キャリア１０５に形成されている連結長孔部１０５ａに上下方向にスライド可能に嵌入している。
【０００６】
また、枠体１０２には、第１プーリ１１０ａを回転させてキャリア送りベルト１１２を駆動し、移動刃キャリア１０５を往復走行駆動するためのキャリア駆動モータ１０８が取り付けられている。キャリア駆動モータ１０８の回転軸１０８ａには主傘歯車１０９ａが固着され、主傘歯車１０９ａには従傘歯車１０９ｂが噛み合っており、従傘歯車１０９ｂには第１歯車１０９ｃが固着され第１歯車１０９ｃには第２歯車１０９ｄが噛み合っており、第２歯車１０９ｄには第３歯車１０９ｅが噛み合っており、第３歯車１０９ｅには前述した第１プーリ１１０ａが固着されている。従って、キャリア駆動モータ１０８を駆動することにより第１プーリ１１０ａを回転させ、第１プーリ１１０ａの回転によってキャリア送りベルト１１２走行させて移動刃キャリア１０５を往復走行させるように構成されている。
【０００７】
次に、作用について説明する、カッタ固定刃１０４の上に図示せぬ用紙を載置し、続いて、図示せぬ制御回路によりキャリア駆動モータ１０８を駆動するとキャリア送りベルト１１２が回転して、図１３に示すホームポジションに待機していた移動刃キャリア１０５を右方向に走行させる。移動刃キャリア１０５がホームポジションから離れると、移動刃キャリア１０５に形成されているスイッチ操作部１０５ｂはＨＰ検出手段１１４の作用端１１４ａを解放するので、ＨＰ検出手段１１４のスイッチは開いた状態になる。移動刃キャリア１０５が右方向に走行することにより、用紙押さえローラ１０７で図示せぬ用紙をカッタ固定刃１０４に対して押さえながら、カッタ移動刃１０６はカッタ固定刃１０４と協働して図示せぬ用紙を剪断する。
【０００８】
カッタ移動刃１０６は右方向に走行しながら図示せぬ用紙を切断し右端に達すると、折り返して左方向に走行しホームポジションに到達する。カッタ移動刃１０６がホームポジションに到達すると、移動刃キャリア１０５に形成されているスイッチ操作部１０５ｂが、ＨＰ検出手段１１４から突出している作用端１１４ａを押して、開いていた接点スイッチを閉じさせる。ＨＰ検出手段１１４のスイッチが閉じたことから、図示せぬ制御回路は移動刃キャリア１０５がホームポジションにあることを検知する。
【発明の開示】
【発明が解決しようとする課題】
【０００９】
前述したように、従来のＨＰ検出手段１１４は、作用端１１４ａを押すことにより内部に組み込まれている接点を開閉するように構成されているので、接点部分が酸化等によって接点不良を起こすおそれがあり、また、カッタ移動刃１０６がカッタ固定刃１０４と協働しながら図示せぬ用紙を剪断する際に生じる紙粉が接点部分に付着することによっても接点不良を起こすおそれがった。
本発明の目的は、ＨＰ検出手段１１４の動作不良により、移動刃キャリア１０５がホームポジションで正確に停止し走行起動することに対する障害が発生することのない用紙切断装置を得ることにある。
【課題を解決するための手段】
【００１０】
上記目的を達成するために、本発明においては、長手方向に真直状に形成したカッタ固定刃と、該カッタ固定刃に当接して回転しながら走行することにより用紙を切断するカッタ移動刃と、前記カッタ移動刃を保持しホームポジションと折り返し位置との間を往復走行する移動刃キャリアと、該移動刃キャリアを往復走行するように駆動する移動刃キャリア駆動装置と、該移動刃キャリア駆動装置を駆動する原動機であるキャリア駆動モータと、前記移動刃キャリアがホームポジションにあることを検知するためのＨＰ検出手段とを有する用紙切断装置において、前記ＨＰ検出手段がリードスイッチであり、前記移動刃キャリアがホームポジションに到達したときに前記リードスイッチの接点を閉じさせるための磁石が前記移動刃キャリアに取り付けられていることを特徴とするものである。
【発明の効果】
【００１１】
本発明は、ＨＰ検出手段としてリードスイッチを採用したので、酸化等あるいは紙粉等の付着によって接点不良を起こすおそれがなく、磁石とＨＰ検出手段とは当接することがないので衝突音の発生や双方の部品が摩耗や損傷することがない。
【発明を実施するための最良の形態】
【００１２】
長手方向に真直状に形成したカッタ固定刃と、該カッタ固定刃に当接して回転しながら走行することにより用紙を切断するカッタ移動刃と、前記カッタ移動刃を保持しホームポジションと折り返し位置との間を往復走行する移動刃キャリアと、該移動刃キャリアを往復走行するように駆動する移動刃キャリア駆動装置と、該移動刃キャリア駆動装置を駆動する原動機であるキャリア駆動モータと、前記移動刃キャリアがホームポジションにあることを検知するためのＨＰ検出手段とを有する用紙切断装置において、前記ＨＰ検出手段をリードスイッチとし、前記移動刃キャリアがホームポジションに到達したときに前記リードスイッチの接点を閉じさせるための磁石が前記移動刃キャリアに取り付ける。
【実施例】
【００１３】
以下、本発明の実施の形態を一実施例に基づき図面を参照して説明する。
図１は、本発明に係る第１実施例の用紙切断装置１を斜め上方から見た状態を示す斜視図である。図２は、図１における矢視Ａの状態を示す正面図である。
図３は、図２における蓋体３を透視した状態を示す正面図である。図４は、図３におけるＣ部を拡大して示す詳細図である。図５は、図４におけるＤ−Ｄ線断面の状態を示す断面図である。図６は、図４における用紙切断装置１に用紙１９を装着した状態を示す動作説明図である。図７は、図６の状態から移動刃キャリア５が走行しながら用紙１９を切断する状態を示す動作説明図である。図８は、図５における用紙切断装置１が用紙１９を切断する状態を示す動作説明図である。図９は、移動刃キャリア５が用紙１９を切断してホームポジションに戻りつつある状態を示す動作説明図である。図１０は、図９におけるＨＰ検出手段１４と移動刃キャリア５の状態を示す動作説明図である。図１１は、移動刃キャリア５がホームポジションに戻り停止した状態を示す動作説明図である。図１２は、図１１におけるＨＰ検出手段１４と移動刃キャリア５の状態を示す動作説明図である。
【００１４】
図１、および図２を用いて、本発明の用紙切断装置１の概要について説明する。枠体２には蓋体３およびカッタ固定刃４が取り付けられており、カッタ固定刃４は蓋体３の上端部によって脱落しないように押さえられている。カッタ固定刃４の図１における右端、および図２における左端のホームポジションには移動刃キャリア５が待機しており、移動刃キャリア５にはカッタ移動刃６が回転自在に取りつけられ、カッタ固定刃４に圧接された状態で待機している。また、カッタ移動刃６と同軸に用紙押さえローラ７が回転自在に取りつけられている。
【００１５】
図３、および図４を用いて、図２に示す蓋体３を透視した状態について説明する。枠体２には第１プーリ１０ａと、第２プーリ１０ｂが互いに間隔をおいて回転自在に取り付けられており、第１プーリ１０ａと第２プーリ１０ｂとの間には無端ベルトの内側に歯が形成されたキャリア送りベルト１２が緊張懸架されている。キャリア送りベルト１２には、移動刃キャリア５と連結するためのキャリア連結部材１１が取り付けられている。また、枠体２にはカッタ移動刃６を回転自在に保持する移動刃キャリア５が左右往復走行可能に取り付けられている。移動刃キャリア５には連結長孔部５ａが形成され、連結長孔部５ａにはキャリア連結部材１１が上下方向にスライド可能に嵌入している。
【００１６】
また、枠体２には、第１プーリ１０ａを回転させてキャリア送りベルト１２を駆動し、移動刃キャリア５を往復走行駆動するための原動機であるキャリア駆動モータ８が取り付けられている。キャリア駆動モータ８の回転軸８ａには主傘歯車９ａが固着され、主傘歯車９ａには従傘歯車９ｂが噛み合っており、従傘歯車９ｂには第１歯車９ｃが固着され第１歯車９ｃには第２歯車９ｄが噛み合っており、第２歯車９ｄには第３歯車９ｅが噛み合っており、第３歯車９ｅには前述した第１プーリ１０ａが固着されている。従って、キャリア駆動モータ８を駆動することにより第１プーリ１０ａを回転させ、第１プーリ１０ａの回転によってキャリア送りベルト１２を走行させて移動刃キャリア５を往復走行させるように構成されている。このように、主傘歯車９ａからキャリア送りベルト１２までの動力伝達部材群はキャリア駆動装置を構成している。
【００１７】
図５を用いて、移動刃キャリア５の構成について説明する。枠体２に形成されている図示せぬ溝部には、カッタ固定刃４がはめ込まれており、蓋体３によって動かないように抑えられている。カッタ固定刃４には真直刃部４ａが形成されている。移動刃キャリア５には、第１摺動部５ｂ、第２摺動部５ｃ、および第３摺動部５ｄが形成され、第１摺動部５ｂは蓋体３に当接し、第２摺動部５ｃは枠体２に当接し、第１摺動部５ｂ、第２摺動部５ｃが協働して移動刃キャリア５を左右方向に支えている。
【００１８】
移動刃キャリア５には第１軸受け部５ｅと第２軸受け部５ｆが形成され、第１軸受け部５ｅと第２軸受け部５ｆによって移動刃軸１５が取り付けられている。移動刃軸１５には移動刃ホルダ１６が回転自在にはめ合わされ、移動刃ホルダ１６には、円盤状で外周に外周刃先部６ａが形成されたカッタ移動刃６と、カッタ移動刃６を保持するための移動刃押さえブッシュ１７が圧入されて固着されている。
【００１９】
移動刃ホルダ１６には、つるまき状の圧縮ばねである移動刃押圧部材１８がはめ合わされており、移動刃キャリア５に対して移動刃ホルダ１６を右方向に押すことにより、カッタ移動刃６の外周刃先部６ａをカッタ固定刃４の真直刃部４ａに圧接させ、外周刃先部６ａと真直刃部４ａとの間で後述する用紙１９を剪断するように構成されている。
【００２０】
移動刃軸１５には用紙押さえローラ７が、移動刃ホルダ１６とは独立して回転し得るように回転自在にはめ合わされている。用紙押さえローラ７の軸方向の長さと移動刃ホルダ１６の軸方向の長さとを加えた長さは、移動刃キャリア５の壁面の内側寸法より充分に短く設定しており、用紙押さえローラ７と移動刃ホルダ１６の双方とも余裕を持って独立して回転し得るよう適切な隙間をもって組み付けられている。用紙押さえローラ７は金属もしくはプラスチックによって形成され、外周には回転軸方向へ平坦なローラ外周部７ａが形成されている。ローラ外周部７ａは僅かな間隙を持ってカッタ固定刃４に対向している。
【００２１】
このように用紙押さえローラ７のローラ外周部７ａが僅かな間隙を持ってカッタ固定刃４に対向していることにより、用紙押さえローラ７が用紙１９をカッタ固定刃４に対して押さえながらカッタ移動刃６とカッタ固定刃４とにより切断するので、用紙１９をしわにすることなく切断することができ、カッタ移動刃６の外周刃先部６ａはカッタ固定刃４の真直刃部４ａに圧接されるので用紙１９をきれいに切断することができる。
【００２２】
図６、図７および図８において、用紙切断装置１で用紙１９を切断する状態を説明する。図６に示すようにしてカッタ固定刃４に用紙１９を載置し、続いて、図示せぬ制御回路により図４に示すキャリア駆動モータ８を駆動するとキャリア送りベルト１２が回転して、図７に示すようにして移動刃キャリア５をホームポジションＨＰから移動させて矢印ａの方向に走行させる。移動刃キャリア５が矢印ａの方向に走行することにより、用紙押さえローラＡ７で用紙１９をカッタ固定刃４に対して押さえながら、図８に示すようにしてカッタ移動刃６はカッタ固定刃４と協働して用紙１９を剪断する。剪断された用紙右片１９ｂは、カッタ固定刃４に載置された状態であるが、用紙左辺１９ｃは、移動刃キャリア５によって下側に押し下げられる。
【００２３】
図９、および図１０を用いて、移動刃キャリア５が用紙１９を切断してからホームポジションに戻る動作について説明する。キャリア駆動モータ８の駆動力によって、キャリア送りベルト１２を走行させて、移動刃キャリア５を右方向に移動させながら用紙１９を切断した後、移動刃キャリア５は、折り返し位置ＲＰで折り返して矢印ａの方向に移動する。枠体２には、移動刃キャリア５がホームポジションＨＰに到達したことを図示せぬ制御回路に知らせるためのＨＰ検出手段１４が取り付けられている。ＨＰ検出手段１４はガラス製の密閉された管体１４ａの内部に磁性体で形成された第一リード１５ｂと第二リード１５ｃがそれぞれ一端で固定され、他端同士が接触するように構成されている。なお、この時のＨＰ検出手段１４は、図１０に示すように接点が開いた状態となっている。一方、移動刃キャリア５にはＨＰ検出手段１４の接点を閉じさせるための磁石１４が図１０に示すように取り付けられている。このように、接点を構成する第一リード１４ｂと第二リード１４ｃはガラス製の管体１４ａの密閉された内部にあるので、酸化等あるいは紙粉等の付着によって、接点不良を起こすおそれがない。
【００２４】
図１１、および図１２を用いて、移動刃キャリア５がホームポジションＨＰに戻り停止する状態について説明する。移動刃キャリア５が、図９、および図１０の状態から更に矢印ａの方向に移動してホームポジションＨＰに到達し図１１に示す状態になると、図１２に示すように、移動刃キャリア５に取り付けられている磁石１３がＨＰ検出手段１４に接近する。図１２に示すように磁石１３がＨＰ検出手段１４に接近すると、磁石１３の磁力線により、磁性体で形成された第一リード１４ａと第二リード１４ｂの自由端同士が吸引し合い接触する。このように、磁石１３とＨＰ検出手段１４とは当接することがないので、衝突音の発生や双方の部品が摩耗や損傷することがない。従って、経時的に接点不良は起きず、移動刃キャリアは常に正確な位置にて停止し、走行起動することができる。
【図面の簡単な説明】
【００２５】
【図１】本発明に係る第１実施例の用紙切断装置を斜め上方から見た状態を示す斜視図である。
【図２】図１における矢視Ａの状態を示す正面図である。
【図３】図２における蓋体３を透視した状態を示す正面図である。
【図４】図３におけるＣ部を拡大して示す詳細図である。
【図５】図４におけるＤ−Ｄ線断面の状態を示す断面図である。
【図６】図４における用紙切断装置１に用紙１９を装着した状態を示す動作説明図である。
【図７】図６の状態から移動刃キャリア５が走行しながら用紙１９を切断する状態を示す動作説明図である。
【図８】図５における用紙切断装置１が用紙１９を切断する状態を示す動作説明図である。
【図９】移動刃キャリア５が用紙１９を切断してホームポジションに戻りつつある状態を示す動作説明図である。
【図１０】図９におけるＨＰ検出手段１４と移動刃キャリア５の状態を示す動作説明図である。
【図１１】移動刃キャリア５がホームポジションＨＰに戻り停止した状態を示す動作説明図である。
【図１２】図１１におけるＨＰ検出手段１４と移動刃キャリア５の状態を示す動作説明図である。
【図１３】従来例における用紙切断装置における正面図、
【図１４】図１３に示すＥ部を拡大して示す詳細図である。
【符号の説明】
【００２６】
１  用紙切断装置
２  枠体
３  蓋体
４  カッタ固定刃
４ａ  真直刃部
５  移動刃キャリア
５ａ  連結長孔部
５ｂ  第１摺動部
５ｃ  第２摺動部
５ｄ  第３摺動部
５ｅ  第１軸受け部
５ｆ  第２軸受け部
６  カッタ移動刃
６ａ  外周刃先部
７  用紙押さえローラ
８  キャリア駆動モータ
８ａ  回転軸
９ａ  主傘歯車
９ｂ  従傘歯車
９ｃ  第１歯車
９ｄ  第２歯車
９ｅ  第３歯車
１０ａ  第１プーリ
１０ｂ  第２プーリ
１１  キャリア連結部材
１２  キャリア送りベルト
１３  磁石
１４  ＨＰ検出手段
１４ａ  管体
１４ｂ  第一リード
１４ｃ  第二リード
１５  移動刃軸
１６  移動刃ホルダ
１７  移動刃押さえブッシュ
１８  移動刃押圧部材
１９  用紙
１９ａ  用紙右片
１９ｂ  用紙左辺
【図１】
2006136949.tif 000003
【図２】
2006136949.tif 000004
【図３】
2006136949.tif 000005
【図４】
2006136949.tif 000006
【図５】
2006136949.tif 000007
【図６】
2006136949.tif 000008
【図７】
2006136949.tif 000009
【図８】
2006136949.tif 000010
【図９】
2006136949.tif 000011
【図１０】
2006136949.tif 000012
【図１１】
2006136949.tif 000013
【図１２】
2006136949.tif 000014
【図１３】
2006136949.tif 000015
【図１４】
2006136949.tif 000016